(57)【要約】【課題】店舗が利用者に推奨したい取引対象の情報を効果的に提供する。【解決手段】本願に係る提供装置は、電子商店街に出品されている取引対象を紹介する紹介情報であって、当該電子商店街において当該取引対象を販売するコンテンツへのリンクが設定された紹介情報を取得する取得部と、前記電子商店街のコンテンツを介して、前記紹介情報を利用者に提供する提供部とを有することを特徴とする。【選択図】図１
2020017280.tif 000002
【特許請求の範囲】
【請求項１】
電子商店街に出品されている取引対象を紹介する紹介情報であって、当該電子商店街において当該取引対象を販売するコンテンツへのリンクが設定された紹介情報を取得する取得部と、
前記電子商店街のコンテンツを介して、前記紹介情報を利用者に提供する提供部と
を有することを特徴とする提供装置。
【請求項２】
前記提供部は、それぞれ異なる取引対象に関する複数の紹介情報を前記利用者に提供する
ことを特徴とする請求項１に記載の提供装置。
【請求項３】
前記取得部は、前記紹介情報として、当該紹介情報と対応する取引対象を前記電子商店街で販売する販売者によって投稿された情報を取得する
ことを特徴とする請求項１または２に記載の提供装置。
【請求項４】
前記取得部は、前記紹介情報として、前記電子商店街とは異なるサービスを介して提供される紹介情報を取得する
ことを特徴とする請求項１〜３のうちいずれか１つに記載の提供装置。
【請求項５】
前記取得部は、利用者の質問と、当該質問に対する回答として当該質問に対応する取引対象を紹介する紹介情報とを提供するサービスに対して投稿された紹介情報を取得する
ことを特徴とする請求項４に記載の提供装置。
【請求項６】
前記提供部は、前記取得部により取得された紹介情報のうち、利用者が入力した検索クエリと対応する取引対象に関する紹介情報を当該利用者に対して提供する
ことを特徴とする請求項１〜５のうちいずれか１つに記載の提供装置。
【請求項７】
前記提供部は、前記利用者が入力した検索クエリと対応する取引対象の検索結果とともに、当該検索クエリと対応する取引対象に関する紹介情報を提供する
ことを特徴とする請求項６に記載の提供装置。
【請求項８】
前記提供部は、前記取得部により取得された紹介情報のうち、利用者の属性と対応する取引対象に関する紹介情報を当該利用者に対して提供する
ことを特徴とする請求項１〜７のうちいずれか１つに記載の提供装置。
【請求項９】
前記提供部は、前記取得部により取得された紹介情報のうち、利用者による取引対象の購買履歴と対応する取引対象に関する紹介情報を当該利用者に対して提供する
ことを特徴とする請求項１〜８のうちいずれか１つに記載の提供装置。
【請求項１０】
前記提供部は、前記電子商店街に関するコンテンツであって、取引対象の購入を受付けるコンテンツ以外のコンテンツと共に、前記紹介情報を提供する
ことを特徴とする請求項１〜９のうちいずれか１つに記載の提供装置。
【請求項１１】
前記提供部は、前記紹介情報のうち、対応する取引対象の電子商店街における価値に応じて選択された紹介情報を提供する
ことを特徴とする請求項１〜１０のうちいずれか１つに記載の提供装置。
【請求項１２】
前記提供部は、前記紹介情報のうち、対応する取引対象の販売数、価格、若しくは送料の少なくともいずれか１つに基づく価値に応じて選択された紹介情報を提供する
ことを特徴とする請求項１１に記載の提供装置。
【請求項１３】
前記提供部は、前記紹介情報のうち、対応する取引対象を販売する販売者の価値であって、前記電子商店街における価値に応じて選択された紹介情報を提供する
ことを特徴とする請求項１〜１２のうちいずれか１つに記載の提供装置。
【請求項１４】
前記取得部は、前記紹介情報として、前記電子商店街とは異なる所定のサービスを介して提供される紹介情報を取得し、
前記提供部は、前記紹介情報のうち、前記所定のサービスにおける価値に応じて選択された紹介情報を提供する
ことを特徴とする請求項１〜１３のうちいずれか１つに記載の提供装置。
【請求項１５】
前記提供部は、前記紹介情報のうち、前記所定のサービスを介して利用者に提供された際に、当該利用者を前記電子商店街において対応する取引対象を販売するコンテンツへと誘導した回数に基づく価値に応じて選択された紹介情報を提供する
ことを特徴とする請求項１４に記載の提供装置。
【請求項１６】
前記提供部は、前記紹介情報のうち、前記所定のサービスを介して利用者に提供された際に、当該利用者が前記電子商店街において対応する取引対象を購入した回数に基づく価値に応じて選択された紹介情報を提供する
ことを特徴とする請求項１４または１５に記載の提供装置。
【請求項１７】
前記提供部は、前記紹介情報のうち、前記所定のサービスにおける評価に基づく価値に応じて選択された紹介情報を提供する
ことを特徴とする請求項１４〜１６のうちいずれか１つに記載の提供装置。
【請求項１８】
前記取得部は、利用者の質問と、当該質問に対する回答として当該質問に対応する取引対象を紹介する紹介情報とを提供するサービスに対して投稿された紹介情報を取得し、
前記提供部は、前記紹介情報のうち、紹介情報の提供先となる利用者に関する情報と、当該紹介情報と対応する質問との関連性に応じて選択された紹介情報を提供する
ことを特徴とする請求項１〜１７のうちいずれか１つに記載の提供装置。
【請求項１９】
前記提供部は、前記紹介情報のうち、利用者が入力した検索クエリと対応する取引対象との共通性に応じて選択された紹介情報を、当該検索クエリと対応する取引対象の検索結果とともに提供する
ことを特徴とする請求項１〜１８のうちいずれか１つに記載の提供装置。
【請求項２０】
前記提供部は、前記紹介情報のうち、対応する取引対象に対して設定された送料が、前記検索クエリと対応する取引対象に対して設定された送料と所定の共通性を有する紹介情報を提供する
ことを特徴とする請求項１９に記載の提供装置。
【請求項２１】
提供装置が実行する提供方法であって、
電子商店街に出品されている取引対象を紹介する紹介情報であって、当該電子商店街において当該取引対象を販売するコンテンツへのリンクが設定された紹介情報を取得する取得工程と、
前記電子商店街のコンテンツを介して、前記紹介情報を利用者に提供する提供工程と
を含むことを特徴とする提供方法。
【請求項２２】
電子商店街に出品されている取引対象を紹介する紹介情報であって、当該電子商店街において当該取引対象を販売するコンテンツへのリンクが設定された紹介情報を取得する取得手順と、
前記電子商店街のコンテンツを介して、前記紹介情報を利用者に提供する提供手順と
をコンピュータに実行させるための提供プログラム。
【発明の詳細な説明】
【技術分野】
【０００１】
本発明は、提供装置、提供方法および提供プログラムに関する。
【背景技術】
【０００２】
従来、各種商品や役務等の取引対象を販売する販売者から取引対象の販売に関するコンテンツの登録を受付けると、受付けたコンテンツを利用者に提供し、利用者から取引対象の購入を受付ける電子商店街の技術が知られている。このような技術の一例として、利用者が入力した検索クエリと対応する取引対象のうち、販売者が予め設定する費用の額に応じた優先度で、取引対象の販売に関するコンテンツを配信する技術等が知られている。
【先行技術文献】
【特許文献】
【０００３】
【特許文献１】特開２０１８−０６７２８８号公報
【発明の概要】
【発明が解決しようとする課題】
【０００４】
しかしながら、上述した従来技術では、店舗が利用者に推奨したい取引対象の情報を効果的に提供しているとは言えない場合がある。
【０００５】
例えば、上述した従来技術では、取引対象の画像、名称、価格、送料の有無、および取引対象を販売する販売者の情報等、取引対象を販売するための情報が配置されたコンテンツを表示しているに過ぎない。このため、利用者に対して、店舗が推奨したい取引対象の情報を効果的に提供しているとは言えない。
【０００６】
本願は、上記に鑑みてなされたものであって、店舗が利用者に推奨したい取引対象の情報を効果的に提供することを目的とする。
【課題を解決するための手段】
【０００７】
本願に係る提供装置は、電子商店街に出品されている取引対象を紹介する紹介情報であって、当該電子商店街において当該取引対象を販売するコンテンツへのリンクが設定された紹介情報を取得する取得部と、前記電子商店街のコンテンツを介して、前記紹介情報を利用者に提供する提供部とを有することを特徴とする。
【発明の効果】
【０００８】
実施形態の一態様によれば、利用者に推奨したい取引対象の情報を効果的に提供することができる。
【図面の簡単な説明】
【０００９】
【図１】図１は、実施形態に係る情報提供装置が実行する提供処理の一例を示す図である。
【図２】図２は、実施形態に係る情報提供装置の構成例を示す図である。
【図３】図３は、実施形態に係る取引対象データベースに登録される情報の一例を示す図である。
【図４】図４は、実施形態に係る利用者データベースに登録される情報の一例を示す図である。
【図５】図５は、実施形態に係る紹介情報データベースに登録される情報の一例を示す図である。
【図６】図６は、実施形態に係る情報提供装置が実行する提供処理の流れの一例を示すフローチャートである。
【図７】図７は、ハードウェア構成の一例を示す図である。
【発明を実施するための形態】
【００１０】
以下に、本願に係る提供装置、提供方法および提供プログラムを実施するための形態（以下、「実施形態」と記載する。）について図面を参照しつつ詳細に説明する。なお、この実施形態により本願に係る提供装置、提供方法および提供プログラムが限定されるものではない。また、以下の各実施形態において同一の部位には同一の符号を付し、重複する説明は省略する。
【００１１】
[実施形態]
〔１−１．情報提供装置の一例について〕
まず、図１を用いて、決定装置の一例である情報提供装置が実行する提供装置の一例について説明する。図１は、実施形態に係る情報提供装置が実行する提供処理の一例を示す図である。
【００１２】
情報提供装置１０は、以下に説明する提供処理を実行する情報処理装置であり、例えば、サーバ装置やクラウドシステムにより実現される。また、情報提供装置１０は、インターネット等の所定のネットワークＮ（例えば、図２参照）を介して、紹介サービスサーバ１００、利用者が使用する利用者端末２００、および電子商店街を介して取引対象を販売する店舗が利用する店舗端末３００と相互に通信可能である。なお、情報提供装置１０は、任意の数の紹介サービスサーバ１００、利用者端末２００および店舗端末３００と通信可能であってもよい。なお、情報提供装置１０は、電子商店街に関するサービスを提供するが、このようなサービスの内容については、後述する。
【００１３】
紹介サービスサーバ１００は、利用者に対して各種の情報を提供する紹介サービスを実現するための情報処理装置であり、例えば、サーバ装置やクラウドシステムにより実現される。なお、紹介サービスサーバ１００が提供する紹介サービスの内容については、後述する。
【００１４】
利用者端末２００は、スマートフォンやタブレット等のスマートデバイスであり、３Ｇ（3rd  Generation）やＬＴＥ（Long  Term  Evolution）等の無線通信網を介して任意のサーバ装置と通信を行うことができる携帯端末装置である。なお、利用者端末２００は、スマートデバイスのみならず、デスクトップＰＣ（Personal  Computer）やノートＰＣ等の情報処理装置であってもよい。
【００１５】
店舗端末３００は、電子商店街を介して取引対象を販売する店舗の端末装置であり、例えば、ＰＣやサーバ装置等により実現される。例えば、店舗端末３００は、販売者によって利用される情報処理装置であり、販売者が販売したい取引対象の情報（例えば、名称、外観を示す画像、説明、価格、送料の有無等）を受付けると、受付けた取引対象の情報を情報提供装置１０へと登録する。
【００１６】
〔１−２．紹介サービスの一例について〕
続いて、図１を用いて、紹介サービスサーバ１００が実現する紹介サービスの一例について説明する。例えば、紹介サービスサーバ１００は、電子商店街における探し物に係る掲示板のサービスを提供する。
【００１７】
例えば、紹介サービスサーバ１００は、電子商店街を利用する利用者から質問を受け付ける。そして、紹介サービスサーバ１００は、受け付けた質問が一覧表示されるコンテンツ（例えば、ネットワーク上の掲示板）を、電子商店街の利用者（電子商店街の利用者や、電子商店街に出店する各店舗、各販売者）が閲覧可能な態様で提供する。また、紹介サービスサーバ１００は、提供されたコンテンツを介して質問に対して回答を行う回答者が、電子商店街に出店する店舗であるか否かを判定する。そして、紹介サービスサーバ１００は、回答者が電子商店街に出店する店舗であると判定された場合に、回答者から質問に対する回答を受け付けることを許可する。
【００１８】
例えば、紹介サービスサーバ１００は、利用者から、探し物に関する質問を受付ける（ステップＳ１）。より具体的な例を挙げると、紹介サービスサーバ１００は、電子商店街において販売されている取引対象に関連する質問を受付ける。例えば、紹介サービスサーバ１００は、「パーティー用のワンピースを探しています。」等といったタイトルと共に、「２０代の女性です。今度パーティーで使うワンピースを探しています。シックなものを希望します。」といった本文を質問として受付ける。すなわち、紹介サービスサーバ１００は、利用者が所望する取引対象が有する特徴を示す質問の登録を受付ける。なお、紹介サービスサーバ１００は、利用者の予算額や取引対象が属するカテゴリの入力等を受付けてもよい。
【００１９】
このような場合、紹介サービスサーバ１００は、各店舗の販売者に対して、利用者から受付けた質問を提供する（ステップＳ２）。例えば、紹介サービスサーバ１００は、利用者の質問を示す質問コンテンツＱ１を生成する。例えば、紹介サービスサーバ１００は、利用者から受付けた質問のタイトルＱＴ、質問の本文ＱＢ、および利用者を示すアイコンを含む質問コンテンツＱ１を生成し、探し物掲示板のコンテンツＣ１０内に質問コンテンツＱ１を配置して、店舗端末３００に配信する。
【００２０】
このような場合、各販売者は、質問に対する応答として、自身若しくは他者が電子商店街に出品した取引対象のうち、質問の回答となりえる取引対象、すなわち、質問が示す特徴を有する取引対象を紹介する紹介情報を登録する（ステップＳ３）。このような場合、紹介サービスサーバ１００は、各店舗から受付けた紹介情報を、質問に対する回答として利用者に提供する（ステップＳ４）。
【００２１】
例えば、紹介サービスサーバ１００は、販売者が電子商店街において販売する取引対象の指定と共に、販売者のコメントを紹介情報として受付ける。例えば、紹介サービスサーバ１００は、「こんにちわ。ショップＡです。当店では、シックな色合いのワンピースＡや、落ち着いたデザインのワンピースＢがあります。」といったコメントと共に、ワンピースＡやワンピースＢの指定をショップＡから受付ける。このような場合、紹介サービスサーバ１００は、ワンピースＡの写真や価格を示すコンテンツであって、ワンピースＡを販売する販売コンテンツへのリンクが設定された紹介バナーＩＣ１、および、ワンピースＢの写真や価格を示すコンテンツであって、ワンピースＢを販売する販売コンテンツへのリンクが設定された紹介バナーＩＣ２を生成する。
【００２２】
そして、紹介サービスサーバ１００は、各種の紹介バナーやコメントを含む回答コンテンツＡ１を生成する。例えば、紹介サービスサーバ１００は、店舗から受付けたコメントＡＢ１、ワンピースＡの紹介バナーＩＣ１、およびワンピースＢの紹介バナーＩＣ２を含む回答コンテンツＡ１を生成する。そして、紹介サービスサーバ１００は、質問コンテンツＱ１の質問に対する回答として、回答コンテンツＡ１を配置したコンテンツＣ１０を利用者に対して提供する。なお、紹介サービスサーバ１００は、回答コンテンツＡ１に対する評価を受付けるためのコンテンツをともに表示してもよい。例えば、紹介サービスサーバ１００は、紹介された取引対象を利用者が欲しい場合に選択する評価ボタンＥＢ１、および、紹介された取引対象に対して利用者が好意的な評価を有する場合に選択する評価ボタンＥＢ２を回答コンテンツＡ１内に配置して表示してもよい。
【００２３】
なお、紹介サービスサーバ１００は、１つの店舗からだけではなく、複数の店舗から、それぞれ紹介情報の登録を受付け、受付けた紹介情報を質問に対する回答として利用者に提供してもよい。例えば、紹介サービスサーバ１００は、「こんにちわ。ショップＢです。シックな黒のコサージュ付ワンピースは、いかがでしょうか？」といったコメントと共に、ワンピースＣの指定をショップＢから受付ける。このような場合、紹介サービスサーバ１００は、コメントやワンピースＣの紹介バナー、各評価ボタン等が配置された回答コンテンツＡ２を生成し、質問コンテンツＱ１と共に配置したコンテンツＣ１０を生成する。
【００２４】
そして、紹介サービスサーバ１００は、生成したコンテンツＣ１０を利用者に対して提供する。より具体的には、紹介サービスサーバ１００は、質問コンテンツＱ１に対応する質問を行った利用者のみならず、任意の利用者に対して、質問コンテンツＱ１や、質問コンテンツＱ１に対する回答コンテンツＡ１、Ａ２等を提供してもよい。
【００２５】
すなわち、実施形態に係る紹介サービスサーバ１００は、利用者からの質問が一覧表示されるコンテンツであって、電子商店街の店舗のみが質問に回答する回答者となりうるコンテンツを提供する。かかる構成によれば、利用者は、信頼のおける回答者であると想定される、電子商店街における正規の店舗のみから回答を得ることができる。また、店舗としては、当該コンテンツが、商品を探している利用者に対して自身の店舗をアピールする場となりうるため、積極的な回答を行う動機付けが得られる。このため、紹介サービスサーバ１００によれば、質問に対して回答が行われないという事態を防止するとともに、適切な回答を多く得ることができる。すなわち、紹介サービスサーバ１００は、利用者の質問に対して適切な回答を利用者に提供することができる。
【００２６】
〔１−３．電子商店街における取引対象の購入について〕
づついて、情報提供装置１０が実行する処理について説明する。まず、情報提供装置１０が実行する処理の１つとして、モール型の電子商店街に関するサービスについて説明する。以下、情報提供装置１０が提供するモール型の電子商店街に関するサービスの一例について説明する。
【００２７】
例えば、電子商店街に関するサービスの提供を行う情報提供装置１０は、電子商店街に取引対象を出品する販売者から取引対象の登録を受付ける。例えば、情報提供装置１０は、電子商店街において店舗ＳＨを運営する販売者が利用する店舗端末３００から、取引対象の名称、画像、取引対象の説明、メーカー、ＪＡＮコード等といった取引対象の識別情報、販売単位数、価格、および送料等といった取引対象に関する情報の登録を受付ける。なお、店舗端末３００は、例えば、ＰＣやサーバ装置等の情報処理装置により実現される。このような場合、情報提供装置１０は、各販売者が個別に登録した取引対象をそれぞれ別個の取引対象として管理する。
【００２８】
そして、情報提供装置１０は、各販売者が出品した取引対象の情報を個別に利用者に提供する。例えば、情報提供装置１０は、利用者から取引対象を検索するための検索クエリを受付けると、各販売者により登録された取引対象から検索クエリと対応する取引対象を検索し、検索した取引対象を示す情報を利用者に提供する。例えば、情報提供装置１０は、検索した取引対象の写真、名称、価格等を示す対象コンテンツを生成し、生成したコンテンツを利用者に提供する。
【００２９】
そして、情報提供装置１０は、利用者がいずれかの対象コンテンツを選択した場合（例えば、対象コンテンツをタップ若しくはクリックした場合等）には、選択された対象コンテンツと対応する取引対象を特定し、特定した取引対象を販売するための販売コンテンツを配信する。例えば、情報提供装置１０は、特定した取引対象を出品した店舗が設定した販売コンテンツであって、取引対象の写真、詳細な説明、価格、送料等とともに、取引対象を仮想的なカートに投入若しくは購入するためのコンテンツが配置された販売コンテンツを配信する。
【００３０】
また、情報提供装置１０は、利用者が取引対象を購入した場合は、購入された取引対象を出品した店舗に対し、利用者の住所等、取引対象の提供に必要な情報を提供するとともに、取引対象の提供を店舗に対して依頼する。また、情報提供装置１０は、利用者から取引対象の購入に対する入金を受付けると、入金金額の全額若しくは一部を店舗が有する各種口座に対して送金することで、決済処理を実現する。なお、このような決済処理は、あくまで一例であり、情報提供装置１０は、任意の対応の決済処理を採用してよい。また、情報提供装置１０は、各種の決済サーバと連携することで、このような決済処理を実現してもよい。
【００３１】
〔１−４．提供処理について〕
ここで、一般的な電子商店街において、利用者が入力した検索クエリと対応する結果には、取引対象の画像、名称、送料の有無、若しくは価格等が配置された対象コンテンツを利用者に対して提示することとなる。しかしながら、このような処理では、店舗が利用者に推奨したい取引対象の情報を効果的に提供しているとは言えない場合がある。
【００３２】
例えば、利用者が「ワンピース」といった検索クエリを入力した場合、「ワンピース」と関連する取引対象の対象コンテンツが表示される。しかしながら、このような検索クエリからは、利用者がどのようなワンピースを所望しているかが不明確であり、利用者に対して効果的に取引対象を示すコンテンツを提供しているとは言えない場合がある。
【００３３】
一方で、紹介サービスサーバ１００が提供する探し物掲示板において、各店舗が回答として登録した紹介情報は、利用者に対して取引対象を効果的に提供するものであると言える。このような紹介情報を、質問に対する回答としてではなく、取引対象を購入しようとしている利用者に対して提供した場合、利用者に取引対象を購入させるための効果的な情報となりえる。換言すると、利用者が入力した検索クエリを探し物掲示板における質問と見做し、質問と対応する回答を提供することで、利用者に取引対象を効果的に紹介することができる可能性が高い。
【００３４】
そこで、情報提供装置１０は、以下の提供処理を実行する。まず、情報提供装置１０は、電子商店街に出品されている取引対象を紹介する紹介情報であって、電子商店街において取引対象を販売するコンテンツへのリンクが設定された紹介情報を取得する。そして、情報提供装置１０は、電子商店街のコンテンツを介して、紹介情報を利用者に提供する。
【００３５】
例えば、情報提供装置１０は、電子商店街とは異なるサービスを介して提供される紹介情報を取得する。例えば、情報提供装置１０は、利用者の質問と、質問に対する回答として質問に対応する取引対象を紹介する紹介情報とを提供するサービスに対して投稿された紹介情報を取得する。そして、情報提供装置１０は、取得された紹介情報のうち、利用者が入力した検索クエリと対応する取引対象に関する紹介情報を利用者に対して提供する。例えば、情報提供装置１０は、利用者が入力した検索クエリと対応する取引対象の検索結果とともに、検索クエリと対応する取引対象に関する紹介情報を提供する。
【００３６】
すなわち、情報提供装置１０は、電子商店街に出品された取引対象の画像、説明、価格等といった事実的な情報ではなく、電子商店街に出品された取引対象を利用者に対して提案、紹介するための情報を取得する。例えば、情報提供装置１０は、利用者に対して、各店舗が取引対象を紹介するサービスにおいて、各店舗が利用者に対して取引対象を提案、紹介するために登録した紹介情報を取得する。すなわち、情報提供装置１０は、紹介情報として、紹介情報と対応する取引対象を電子商店街で販売する販売者によって投稿された情報を取得する。そして、情報提供装置１０は、取得した紹介情報を、電子商店街に関するサービスの１つとして、利用者に対して提供する。
【００３７】
例えば、情報提供装置１０は、紹介サービスサーバ１００から紹介情報を取得する（ステップＳ５）。そして、情報提供装置１０は、利用者から検索クエリを受付けた場合（ステップＳ６）、検索結果と共に関連性を有する紹介情報を利用者に対して提供する（ステップＳ７）。
【００３８】
例えば、情報提供装置１０は、利用者から検索クエリとして「ワンピース」を受付けた場合、電子商店街に出品された取引対象の中から、検索クエリ「ワンピース」との関連性が高い取引対象を検索し、検索された取引対象の対象コンテンツを含む検索結果ＳＲを生成する。例えば、情報提供装置１０は、ワンピースＣやワンピースＤの写真、名称、価格等を含む対象コンテンツを並べた検索結果ＳＲを生成する。
【００３９】
ここで、情報提供装置１０は、対象コンテンツを所定の順序で並べたコンテンツを検索結果として表示する。例えば、情報提供装置１０は、検索クエリと取引対象との関連性に応じたスコアを算出し、算出したスコアが高い方から順に取引対象の対象コンテンツを並べた検索結果ＳＲを生成する。すなわち、情報提供装置１０は、検索クエリとの関連性がより高い取引対象の対象コンテンツを優先的に利用者に対して提供する。
【００４０】
また、情報提供装置１０は、スコアを算出する際に、検索クエリとの関連性のみならず、例えば、取引対象の価格、値引き率、在庫数、配送料、取引対象が登録されてから経過した日時等といった情報に基づいて、スコアを算出してもよい。また、情報提供装置１０は、利用者のデモグラフィック属性やサイコグラフィック属性等といった属性情報と、取引対象の属性との類似度や一致度に基づいて、スコアを算出してもよい。
【００４１】
また、情報提供装置１０は、取引対象の販売に関連する各種の情報に基づいて、スコアを算出する場合がある。例えば、情報提供装置１０は、取引対象の販売数、取引対象が購入された際の価格、対象コンテンツが選択された回数、販売コンテンツが閲覧された回数、対象コンテンツを選択した利用者のうち、取引対象を購入した利用者の割合（すなわち、取引対象のＣＶＲ（Conversion  Rate））、対象コンテンツの表示回数に対する選択回数の割合（すなわち、取引対象ＣＴＲ（Click  Through  Rate））、販売コンテンツの閲覧数等、取引対象の販売に関連する各種の実績、すなわち、販売実績に基づいてスコアを算出し、算出したスコアが高い方から順に対象コンテンツを並べた検索結果ＳＲを生成する。
【００４２】
また、情報提供装置１０は、販売者が各取引対象に対して設定した報酬であって、取引対象が購入された際に、販売者から電子商店街を運営する運営者に対して提供される報酬の額（以下、「販促額」と記載する。）や、商品価格に対する販促額の割合（以下、「販促割合」と記載する。）に基づいて、各対象コンテンツのスコアを算出する場合がある。例えば、情報提供装置１０は、販売者から取引対象ごとに販促割合の設定を受付ける。このような場合、情報提供装置１０は、検索クエリと対応する取引対象を特定し、特定した取引対象の価格と販促割合との積から販促額を算出する。そして、情報提供装置１０は、販促額が高い程スコアの値が高くなるように、各対象コンテンツのスコアを算出し、算出したスコアの値が高い方から順に各対象コンテンツを並べた検索結果ＳＲを生成する。
【００４３】
なお、情報提供装置１０は、上述した情報のそれぞれをスコアを算出する要素として採用し、各要素に基づいて対象コンテンツのスコアを算出してもよい。このように、情報提供装置１０は、取引対象の販売実績、販促額、報酬額、利用者属性等を統合的に用いて、より利用者や購買行為と親和性が高い順に取引対象の対象コンテンツを並べた検索結果ＳＲを生成する。
【００４４】
続いて、情報提供装置１０は、検索クエリと対応する紹介情報を選択する。例えば、情報提供装置１０は、検索クエリと対応する取引対象を特定し、特定した取引対象の販売コンテンツへのリンクが設定された紹介バナーを含む紹介情報を選択する。すなわち、情報提供装置１０は、取得した紹介情報の中から、検索クエリと対応する取引対象を紹介する紹介情報を選択する。そして、情報提供装置１０は、選択した紹介情報を紹介コンテンツとして、検索結果ＳＲと共に配置した検索結果コンテンツＣ２０を生成する。
【００４５】
例えば、情報提供装置１０は、回答コンテンツＡ１を紹介コンテンツＲ１として配置し、回答コンテンツＡ２を紹介コンテンツＲ２として配置した検索結果コンテンツＣ２０を生成する。例えば、情報提供装置１０は、店舗が登録したコメントや対応する取引対象の紹介バナーを含む紹介コンテンツを生成する。なお、情報提供装置１０は、回答コンテンツをそのまま紹介コンテンツとしてもよく、回答コンテンツに含まれる情報のうち、例えば、店舗が入力したテキストや紹介バナー等、一部の情報のみを紹介コンテンツとしてもよい。そして、情報提供装置１０は、紹介コンテンツを含む検索結果コンテンツＣ２０を利用者に対して提供する。
【００４６】
このような処理の結果、情報提供装置１０は、利用者に対して取引対象を効果的に紹介することができる。例えば、電子商店街に訪問し、ある検索クエリを入力した利用者は、その検索クエリと対応する取引対象を購入する可能性が高い。一方、紹介サービスにおいて登録された紹介情報は、利用者が所望する取引対象の漠然としたイメージに対する回答として登録されたものであるため、一般的な対象コンテンツと比較して、利用者に対する情報の訴求効果がより高いものであると考えられる。すなわち、紹介情報は、利用者に対して対応する取引対象の購入を効果的に提案することができると考えられる。
【００４７】
そこで、情報提供装置１０は、利用者に対し、検索結果と共に、検索クエリと対応する取引対象の紹介情報を提供する。このような処理の結果、情報提供装置１０は、利用者に対してより効果的に取引対象の提案、紹介を行うことができるので、利用者に推奨したい取引対象の情報を効果的に提供することができる。
【００４８】
〔１−５．提供態様について〕
上述した例では、情報提供装置１０は、利用者に対し、検索結果ＳＲと共に、紹介情報を提供した。しかしながら、実施形態は、これに限定されるものではない。例えば、情報提供装置１０は、電子商店街に関するコンテンツを介して、利用者に紹介情報を提供するのであれば、任意の態様で、紹介情報の提供を行ってよい。
【００４９】
例えば、情報提供装置１０は、電子商店街に関するコンテンツであって、取引対象の購入を受付けるコンテンツ以外のコンテンツと共に、紹介情報を提供してもよい。例えば、情報提供装置１０は、電子商店街のトップページにおいて、利用者に対して紹介情報を提供してもよい。例えば、情報提供装置１０は、取得した紹介情報のうち利用者の属性と対応する取引対象に関する紹介情報を利用者に対して提供する提供対象として選択する。例えば、情報提供装置１０は、利用者のデモグラフィック属性やサイコグラフィック属性に基づいて、提供対象となる紹介情報を選択する。そして、情報提供装置１０は、電子商店街のトップページに、紹介情報を配置して、利用者に対して提供してもよい。
【００５０】
また、情報提供装置１０は、利用者による取引対象の購買履歴と対応する取引対象に関する紹介情報を利用者に対して提供してもよい。例えば、情報提供装置１０は、電子商店街における利用者の購買履歴に基づいて、利用者が興味を有する若しくは購入する可能性が高い取引対象を推定し、推定した取引対象を紹介する紹介情報を利用者に提供してもよい。また、情報提供装置１０は、検索クエリの履歴、位置履歴、各種コンテンツの視聴履歴等、利用者に関する各種の情報から利用者が興味を有する若しくは購入する可能性が高い取引対象を推定し、推定した取引対象を紹介する紹介情報を利用者に提供してもよい。
【００５１】
また、情報提供装置１０は、電子商店街のトップページ以外にも、任意のコンテンツにおいて、紹介情報の提供を行ってもよい。例えば、情報提供装置１０は、セールのお知らせや配送状況のお知らせ等、電子商店街に関連する電子メールやメッセージ内に、紹介情報を配置して配信してもよい。
【００５２】
また、情報提供装置１０は、電子商店街に関するコンテンツとして、紹介情報の配信を行ってよい。例えば、情報提供装置１０は、紹介情報を含む広告コンテンツを電子商店街に関するコンテンツとして生成し、各種コンテンツ内、若しくは、各種コンテンツを表示する際にバナー広告として表示されるコンテンツとして、広告コンテンツの配信を行ってよい。
【００５３】
すなわち、情報提供装置１０は、電子商店街に関するサービスの一環として、紹介情報を提供するのであれば、任意の態様で、紹介情報を利用者に対して提供してよい。換言すると、情報提供装置１０は、紹介情報を単独のコンテンツとして提供してよく、任意のコンテンツと共に提供して良い。
【００５４】
なお、図１に示す例では、情報提供装置１０は、紹介コンテンツＲ１、Ｒ２を縦方向に並べて利用者に提供した。しかしながら、実施形態は、これに限定されるものではない。例えば、情報提供装置１０は、検索結果コンテンツＣ２０中に紹介コンテンツを表示するための枠を配置し、紹介コンテンツＲ１、Ｒ２を枠内でカルーセル表示させてもよい。例えば、情報提供装置１０は、枠内で複数の紹介コンテンツを縦方向（すなわち、検索結果コンテンツＣ２０を閲覧する際に検索結果コンテンツＣ２０をスクロールさせる方向）にカルーセル表示させてもよく、横方向にカルーセル表示させてもよい。
【００５５】
〔１−６．紹介情報について〕
上述した例では、情報提供装置１０は、紹介サービスに対して店舗が投稿した紹介情報を取得し、取得した紹介情報を電子商店街に関するサービスの一環として利用者に提供した。しかしながら、実施形態は、これに限定されるものではない。
【００５６】
例えば、情報提供装置１０は、紹介サービスにおいて、店舗からではなく、質問を行った利用者とは異なる利用者から取引対象を紹介する紹介情報の登録を受付ける場合、このように利用者から登録を受付けた紹介情報を取得し、取得した紹介情報の提供を行ってもよい。
【００５７】
また、例えば、紹介サービス以外にも、各店舗や利用者がブログ、ＳＮＳ（Social  Networking  Service）、マイクロブログ、掲示板等に対して紹介情報を投稿する場合がある。例えば、各店舗や利用者は、取引対象を紹介する文章と共に、取引対象の販売コンテンツへのリンクが設定されたコンテンツを投稿する場合がある。そこで、情報提供装置１０は、紹介サービス以外にも、各店舗が利用者がブログやＳＮＳ等の各種インターネットサービス上に投稿した情報を紹介情報として取得してもよい。また、例えば、情報提供装置１０は、広告記事やニュース等として投稿された情報を紹介情報として取得してもよい。すなわち、情報提供装置１０は、取引対象を紹介するためのコンテンツを取得し、取得したコンテンツを電子商店街のサービスの一環として提供するのであれば、任意のサービス上に投稿された情報を紹介情報として取得して良い。
【００５８】
また、情報提供装置１０は、取引対象の販売コンテンツへのリンクが設定されていない情報を紹介情報として取得してよい。例えば、情報提供装置１０は、取引対象を紹介する文章をＳＮＳ等から紹介情報として取得した場合、取得した紹介情報の文字解析を行うことで、紹介情報が紹介する取引対象やその取引対象を出品した出品者の特定を行う。なお、情報提供装置１０は、その紹介情報を投稿した投稿者の情報に基づいて、対応する取引対象の出品者を特定してもよい。このような場合、情報提供装置１０は、特定した取引対象の販売コンテンツを特定し、特定した販売コンテンツへのリンクが設定された紹介コンテンツを生成する。そして、情報提供装置１０は、生成した紹介コンテンツを含む紹介情報を利用者に対して提供してもよい。
【００５９】
また、情報提供装置１０は、予め各店舗から紹介情報の登録を受付けていてもよい。例えば、情報提供装置１０は、予め各店舗が電子商店街において登録した紹介情報の中から、提供対象となる紹介情報を選択し、選択した紹介情報の提供を行ってもよい。
【００６０】
〔１−７．リスティングについて〕
ここで、情報提供装置１０は、利用者に対して任意の数の紹介情報を提供してよい。ここで、複数の紹介情報が登録されている場合、どのような取引対象の紹介情報をどのような順番でいくつ提供するかを決定する処理、すなわち、取引対象のリスティングを行う処理は、利用者に対して効果的な取引対象を提供する上で、重要な処理になりえる。そこで、以下の説明では、情報提供装置１０が実行する紹介情報のリスティングの一例について説明する。
【００６１】
〔１−７−１．電子商店街における価値に基づくリステングについて〕
例えば、情報提供装置１０は、紹介情報のうち、対応する取引対象の電子商店街における価値に応じて選択された紹介情報を提供してもよい。例えば、情報提供装置１０は、紹介情報のうち、対応する取引対象の販売数、価格、若しくは送料の少なくともいずれか１つに基づく価値に応じて選択された紹介情報を提供してもよい。また、情報提供装置１０は、紹介情報のうち、対応する取引対象を販売する販売者の価値であって、電子商店街における価値に応じて選択された紹介情報を提供してもよい。
【００６２】
例えば、情報提供装置１０は、検索クエリ、利用者の属性若しくは各種の履歴に基づいて、紹介情報の中から表示対象となる紹介情報の候補を選択する。続いて、情報提供装置１０は、紹介情報の候補ごとに、各候補で紹介されている取引対象の電子商店街における価値の指標を収集する。例えば、情報提供装置１０は、所定の期間内における取引対象の販売数、取引対象の価格、取引対象の価格と同一若しくは類似する取引対象の価格との差、送料の有無、送料の額等を収集する。また、情報提供装置１０は、取引対象の対象コンテンツのＣＴＲやＣＶＲ等を収集する。そして、情報提供装置１０は、収集した情報に基づいて、電子商店街における価値を示す価値スコアを算出する。すなわち、情報提供装置１０は、電子商店街における取引対象の人気度を示す価値スコアを算出する。
【００６３】
また、情報提供装置１０は、取引対象を販売する店舗の価値の指標となる情報を収集する。例えば、情報提供装置１０は、取引対象を販売する店舗における全取引対象の販売数、その店舗が販売する取引対象の対象コンテンツの平均的なＣＴＲや平均的なＣＶＲ等、電子商店街における店舗の人気の指標となる情報を収集する。そして、情報提供装置１０は、収集した情報に基づいて、価値スコアの算出を行う。
【００６４】
例えば、情報提供装置１０は、販売数が多い程、価格が安い程、送料が安い程、若しくはＣＴＲやＣＶＲが高い程、より高い値の価値スコアを算出する。また、情報提供装置１０は、店舗における全取引対象の販売数が多い程、その店舗の平均的なＣＴＲやＣＶＲの値が高い程、より高い値の価値スコアを算出する。なお、情報提供装置１０は、例えば、他の取引対象よりも価格が高く、かつ、他の取引対象よりも販売数が多い場合は、より高い値の価値スコアを算出してもよい。すなわち、情報提供装置１０は、複数の要素を統合的に考慮した項を含む計算式により、価値スコアの算出を行ってもよい。なお、情報提供装置１０は、取引対象に対して設定された販促額や販促割合の値に基づいて、価値スコアの算出を行ってもよい。
【００６５】
そして、情報提供装置１０は、算出した価値スコアの値が高い方から順に所定の数の紹介コンテンツを選択し、選択した紹介コンテンツを利用者に対して提供する。すなわち、情報提供装置１０は、紹介情報のうち、対応する取引対象やその取引対象を紹介した店舗の電子商店街における価値が高い紹介情報を優先的に利用者に提供する。このような処理の結果、情報提供装置１０は、電子商店街における価値（例えば、人気度）が高い取引対象を紹介する紹介情報を利用者に対して優先的に提供するので、利用者に対してより公開的な情報を提供することができる。
【００６６】
なお、情報提供装置１０は、価値スコアの値が所定の閾値を超える紹介スコアを提供対象としてもよい。また、情報提供装置１０は、価値スコアの値が高い方から順に紹介コンテンツを利用者に提供してもよい。また、情報提供装置１０は、提供態様に応じて（例えば、トップページで提供するか、バナー表示するかなどの別に応じて）、異なる数の紹介コンテンツを選択してもよい。
【００６７】
〔１−７−２．紹介サービスにおける評価に基づくリステングについて〕
また、情報提供装置１０は、紹介サービスにおける情報に基づいて、紹介コンテンツのリスティングを行ってもよい。例えば、情報提供装置１０は、紹介情報として、電子商店街とは異なる所定のサービスを介して提供される紹介情報を取得し、紹介情報のうち、所定のサービスにおける価値に応じて選択された紹介情報を提供してもよい。
【００６８】
例えば、紹介サービスにおいて提供される紹介情報には、紹介した取引対象の販売コンテンツへのリンクが設定された紹介バナーが表示され、利用者が紹介バナーを選択した場合は、選択された紹介バナーと対応する取引対象の販売コンテンツが提供されることとなる。そこで、情報提供装置１０は、紹介サービスにおいて提供された紹介情報ごとに、紹介バナーが選択された回数を収集し、収集した回数に基づいて、各紹介情報の価値スコアを算出してもよい。すなわち、情報提供装置１０は、紹介情報のうち、所定のサービスを介して利用者に提供された際に、利用者を電子商店街において対応する取引対象を販売するコンテンツへと誘導した回数に基づく価値を算出してもよい。例えば、情報提供装置１０は、誘導回数が多ければ多いほど、より高い値の価値スコアを算出してもよい。
【００６９】
また、情報提供装置１０は、紹介情報のうち、所定のサービスを介して利用者に提供された際に、利用者が電子商店街において対応する取引対象を購入した回数に基づく価値を算出してもよい。例えば、情報提供装置１０は、各紹介情報のコンバージョンレートに基づいて、価値スコアの算出を行ってもよい。例えば、情報提供装置１０は、紹介情報ごとに、紹介サービスにおいて紹介情報に含まれる紹介バナーを選択した利用者の数と、紹介バナーを選択した利用者のうちリンク先の販売ページで取引対象を購入した利用者の数との比、すなわちＣＶＲを算出する。そして、情報提供装置１０は、ＣＶＲの値が高い程、より高い値の価値スコアを算出してもよい。
【００７０】
また、情報提供装置１０は、紹介情報のうち、所定のサービスにおける評価に基づく価値に応じて、価値スコアの算出を行ってもよい。例えば、情報提供装置１０は、紹介情報ごとに、評価ボタンＥＢ１、ＥＢ２が選択された回数を計数し、計数した回数が多い程高い値の価値スコアを算出してもよい。また、情報提供装置１０は、より新しい紹介情報（すなわち、投稿されてから経過した時間がより短い紹介情報）を優先的に表示するように価値スコアを算出してもよい。
【００７１】
これら以外にも、例えば、情報提供装置１０は、紹介サービスにおける閲覧数、紹介サービスに投稿されてから経過した期間、質問者が評価ボタンＥＢ１、ＥＢ２を選択したか否か等、紹介サービスにおける各種の情報に基づいて、評価スコアを算出してよい。また、情報提供装置１０は、紹介サービスにおける投稿回数が多い店舗の紹介情報を優先的に提供してもよい。また、例えば、情報提供装置１０は、紹介サービスにおいて、質問者が回答の中（すなわち、紹介情報の中）から最も適切な回答を選択する機能が含まれている場合、質問者が最も適切な回答として選択したか否かに基づいて、評価スコアを算出してもよい。
【００７２】
〔１−７−３．検索結果との関連性に基づくリスティング〕
また、情報提供装置１０は、紹介情報を検索結果と共に提供する場合、検索結果との関連性に基づいて、紹介情報のリスティングを行ってもよい。例えば、情報提供装置１０は、紹介情報のうち、利用者が入力した検索クエリと対応する取引対象との共通性に応じて選択された紹介情報を、検索クエリと対応する取引対象の検索結果とともに提供してもよい。
【００７３】
例えば、情報提供装置１０は、紹介情報のうち、対応する取引対象に対して設定された送料が、検索クエリと対応する取引対象に対して設定された送料と所定の共通性を有する紹介情報を提供してもよい。より具体的には、情報提供装置１０は、検索結果に含まれる取引対象のうち多くの取引対象が送料無料である場合、紹介情報のうち送料無料の取引対象を紹介する紹介情報を優先的に提供してもよい。
【００７４】
また、例えば、情報提供装置１０は、検索結果に含まれる取引対象のうち多くの取引対象が属するカテゴリが「ワンピース」である場合、「ワンピース」に属する取引対象の紹介情報を優先的に提供してもよい。また、情報提供装置１０は、検索結果に含まれる取引対象の価格の平均値を算出し、算出した平均値から所定の範囲内の価格が設定された取引対象を紹介する紹介情報を優先的に提供してもよい。
【００７５】
また、情報提供装置１０は、検索結果との共通性に応じたスコアに基づいて、紹介情報のリスティングを行ってもよい。例えば、情報提供装置１０は、検索クエリと対応する取引対象を特定するとともに、特定した取引対象の対象コンテンツを並べた検索結果ＳＲを生成する。続いて、情報提供装置１０は、検索結果ＳＲとして対象コンテンツが表示される取引対象の特徴を特定する。例えば、情報提供装置１０は、取引対象が属するカテゴリ、取引対象の価格、形状、取引対象を購入した利用者の特徴等、取引対象に関連する各種の特徴を特定する。
【００７６】
また、情報提供装置１０は、紹介情報ごとに、紹介情報と対応する取引対象と、検索結果ＳＲとして対象コンテンツが表示される取引対象との間の特徴の共通性を特定する。例えば、情報提供装置１０は、特徴の共通性が高ければ高い程、高い値の共通性スコアを算出する。そして、情報提供装置１０は、共通性スコアの値が高い紹介情報を優先的に提供対象とする。なお、情報提供装置１０は、特徴の共通性に基づいて、価値スコアを算出し、算出した価値スコアの値に基づいて、紹介情報の提供を行ってもよい。
【００７７】
〔１−７−４．その他〕
また、情報提供装置１０は、紹介情報と対応する取引対象の共通性や、紹介情報を登録した店舗（すなわち、紹介情報と対応する取引対象を販売する電子商店街の店舗）の共通性に基づいて、紹介情報のリスティングを行ってもよい。例えば、情報提供装置１０は、それぞれ異なる取引対象に関する複数の紹介情報を提供してもよい。
【００７８】
また、例えば、情報提供装置１０は、それぞれ異なる店舗の紹介情報であって、共通する取引対象を紹介する紹介情報、例えば、それぞれ異なる店舗が販売する同一商品の紹介情報を提供してもよい。また、情報提供装置１０は、同一店舗に関する複数の紹介情報を提供するようにしてもよく、それぞれ異なる店舗に関する複数の紹介情報を提供するようにしてもよい。
【００７９】
また、情報提供装置１０は、上述した紹介サービスにおける利用者の質問（例えば、タイトルや本文となるテキスト）と、紹介情報の配信先となる利用者に関する情報（例えば、検索クエリ、属性情報若しくは各種の履歴等）との関連性に応じて選択された紹介情報を提供してもよい。例えば、情報提供装置１０は、紹介サービスにおいて「パーティー用のワンピースを探しています。」といったタイトルや本文を含む質問に対する紹介情報を取得する。このような場合、情報提供装置１０は、「パーティー用のワンピースを探しています。」といったタイトルや本文と、電子商店街のサービスを受ける利用者が入力した検索クエリ、属性情報、若しくは履歴情報との関連性を特定する。なお、このような関連性の特定は、例えば、含まれる文字列の類似性等、テキストの類似性を判断する各種の意図解析技術が採用可能である。そして、情報提供装置１０は、関連性が所定の閾値を超える場合は、紹介情報を表示対象として選択してもよい。
【００８０】
なお、情報提供装置１０は、上述した各種の情報を統合的に用いることで、紹介情報のリスティングを行ってよい。また、情報提供装置１０は、電子商店街の運営者の世界観に応じた態様で、紹介情報の提供を行ってよい。換言すると、情報提供装置１０は、運営者が、電子商店街のサービスを介して紹介情報を提供する際に、取引対象の共通性、検索結果との関連性、取引対象や紹介情報に対する評価等に応じてどのような態様でどのような紹介情報を提供するのがふさわしいと考えているかに応じて、任意の態様で提供する紹介情報の選択や紹介情報の提供態様を変化させてもよい。
【００８１】
〔１−８．モチベーションについて〕
なお、紹介サービスにおける評価に基づいて、電子商店街のサービスを介して提供する紹介情報を選択した場合、情報提供装置１０は、紹介情報を投稿する動機づけを各店舗に提供することができる。例えば、電子商店街においては、検索結果となる対象コンテンツを優先的に提供するため、各種の広告費用や販促額の設定等が行われる場合がある。しかしながら、このような費用の設定は、比較的小規模な店舗や新規な店舗にとっては、負担となる可能性が高い。
【００８２】
しかしながら、電子商店街以外のサービス等に対して紹介情報を登録あるいは投稿する行為については、比較的小規模な店舗や新規な店舗にとっても、費用的な負担が少ないと考えられる。そこで、情報提供装置１０は、電子商店街以外のサービスにおける紹介情報の評価に基づいて、電子商店街における紹介情報のリスティングを行う。
【００８３】
このようなリスティングを行った場合、電子商店街以外のサービス等に対して紹介情報を登録あるいは投稿して評価を得た店舗の紹介情報を優先的に表示することができる。この結果、情報提供装置１０は、紹介サービス等、各種のサービスにおいて、電子商店街の取引対象を紹介する紹介情報を登録する動機づけを与えることができる。この結果、情報提供装置１０は、紹介情報の登録を促し、各種サービスから電子商店街へ利用者を効果的に誘導することができる。また、情報提供装置１０は、各種費用の設定が困難な店舗であっても、紹介情報の登録を行うことで、その店舗が販売する取引対象へと利用者を誘導させることができるので、取引対象の購買機会を改善することができる。
【００８４】
〔１−９．リンクの変更について〕
なお、情報提供装置１０は、紹介サービスにおいて登録された紹介情報を電子商店街のサービスを介して提供する場合、提供態様に応じた紹介情報の変更を行ってもよい。例えば、ある店舗が赤色のワンピースと白色のワンピースとを販売しており、赤色のワンピースについての紹介情報を登録していたものとする。このような場合、情報提供装置１０は、検索クエリ「白色  ワンピース」を受付けた場合、紹介情報のリンク先を赤色のワンピースを販売する販売コンテンツから白色のワンピースを販売する販売コンテンツへと変更した状態で、紹介情報を提供してもよい。また、情報提供装置１０は、リンク先のみならず、店舗が紹介情報として登録した説明文中における取引対象の属性を示す単語を、表示態様に応じた単語へと変更してもよい。
【００８５】
〔１−１０．適用態様について〕
上述した説明では、情報提供装置１０は、電子商店街において紹介情報を提供する提供処理を実行した。ここで、情報提供装置１０は、インターネットを介した任意の取引対象の取引において、上述した提供処理を実行してよい。例えば、情報提供装置１０は、オークションの検索結果内に紹介情報を表示してもよい。また、情報提供装置１０は、オークションに取引対象を出品した利用者を店舗と見做し、紹介情報の収集、提供を行ってもよい。すなわち、情報提供装置１０は、任意のサービスにおいて取引対象を販売する販売者が登録した紹介情報を、そのサービスとは異なるサービスにおいて提供するのであれば、任意の態様で紹介情報の提供を行ってよい。
【００８６】
〔２．情報提供装置の構成〕
以下、上記した提供処理を実現する情報提供装置１０が有する機能構成の一例について説明する。図２は、実施形態に係る情報提供装置の構成例を示す図である。図２に示すように、情報提供装置１０は、通信部２０、記憶部３０、および制御部４０を有する。
【００８７】
通信部２０は、例えば、ＮＩＣ（Network  Interface  Card）等によって実現される。そして、通信部２０は、ネットワークＮと有線または無線で接続され、紹介サービスサーバ１００、利用者端末２００、店舗端末３００との間で情報の送受信を行う。
【００８８】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、取引対象データベース３１、利用者データベース３２、および紹介情報データベース３３（以下、「各データベース３１〜３３」と総称する場合がある。）に登録される情報の一例について説明する。以下、図３〜５を用いて、各データベース３１〜３４に登録される情報の一例について説明する。
【００８９】
例えば、図３は、実施形態に係る取引対象データベースに登録される情報の一例を示す図である。図３に示す例では、取引対象データベース３１には、「店舗ＩＤ（Identifier）」、「店舗情報」、「取引対象ＩＤ」、「カテゴリ情報」、「価格情報」、「送料」、「対象コンテンツ」、および「実績情報」が対応付けて登録されている。
【００９０】
ここで、「店舗ＩＤ」とは、取引対象を出品した店舗を示す識別子である。また、「店舗情報」とは、対応付けられた「店舗ＩＤ」が示す店舗に関連する各種の情報である。また、「取引対象ＩＤ」とは、取引対象を示す識別子である。また、「カテゴリ情報」とは、対応付けられた「取引対象ＩＤ」が示す取引対象が属するカテゴリを示す情報である。また、「価格情報」とは、対応付けられた「取引対象ＩＤ」が示す取引対象の価格を示す情報である。
【００９１】
また、「送料」とは、対応付けられた「取引対象ＩＤ」が示す取引対象を配送する際の総量を示す情報である。また、「対象コンテンツ」とは、対応付けられた「取引対象ＩＤ」が示す取引対象の対象コンテンツである。また、「実績情報」とは、対応付けられた「取引対象ＩＤ」が示す取引対象の販売に関する各種の実績を示す情報である。
【００９２】
なお、図３に示す例では、各項目に対応する情報として、「店舗＃１」、「店舗情報＃１」、「取引対象＃１−１」、「カテゴリ＃Ａ−Ｂ−Ｃ」、「価格情報＃１−１」、「送料＃１−１」、「対象コンテンツ＃１−１」、「実績情報＃１−１」といった概念的な値を記載した。ここで、取引対象データベース３１には、実際には、店舗や取引対象を識別するための数値や文字列、店舗の名称等を示す文字列、取引対象が属するカテゴリの階層を示す数値や文字列、価格や送料を示す数値、コンテンツとして表示される画像やテキストのデータ、販売数、ＣＶＲ、ＣＴＲ等、電子商店街における取引対象の価値の指標となりえる各種の情報が登録される。また、図３に示す情報以外にも、取引対象データベース３１には、取引対象に関連する任意の情報や、取引対象の購買の実績に関連する任意の情報が登録されていてよい。
【００９３】
また、図４は、実施形態に係る利用者データベースに登録される情報の一例を示す図である。図４に示す例では、利用者データベース３２には、「利用者ＩＤ」、「利用者情報」、「属性情報」、および「購買履歴」が対応付けて登録されている。なお、図４に示す情報以外にも、利用者データベース３２には、利用者に関する任意の情報が登録されていてよい。
【００９４】
ここで、「利用者ＩＤ」とは、利用者を識別する識別子である。また、「利用者情報」とは、対応付けられた「利用者ＩＤ」が示す利用者の名称や性別等といった情報である。また、「属性情報」とは、対応付けられた「利用者ＩＤ」が示す利用者のデモグラフィック属性やサイコグラフィック属性等の各種属性を示す情報である。また、「購買履歴」とは、対応付けられた「利用者ＩＤ」が示す利用者により購入された取引対象の履歴を示す情報である。
【００９５】
なお、図４に示す例では、「利用者＃１」、「利用者情報＃１」、「属性情報＃１」、および「購買履歴＃１」といった概念的な情報を記載したが、実際には、利用者データベース３２には、利用者を識別する文字列や数値、利用者の名称等を示す文字列、属性を示す文字列や数値、購買した取引対象のＩＤや購買日時等を示す情報が登録されることとなる。
【００９６】
また、図５は、実施形態に係る紹介情報データベースに登録される情報の一例を示す図である。図５に示す例では、紹介情報データベース３３には、「紹介情報ＩＤ」、「質問情報」、「紹介本文」、「紹介バナー」、「リンク先」、「第１サービス評価」および「第２サービス評価」が対応付けて登録されている。なお、図５に示す情報以外にも、紹介情報データベース３３には、店舗に関する任意の情報が登録されていてよい。
【００９７】
ここで、「紹介情報ＩＤ」とは、紹介情報を識別する識別子である。また、「質問情報」とは、紹介情報と対応する利用者の質問を示す情報である。また、「紹介本文」とは、店舗が紹介情報として登録した紹介文である。また、「紹介バナー」とは、紹介バナーのデータであり、例えば、紹介対象となる取引対象の写真、名称、価格が配置されたバナーのデータである。また、「リンク先」、とは、紹介バナーに対して設定されたリンク先を示す情報である。また、「第１サービス評価」とは、対応する紹介情報に対する評価であって、紹介サービスにおける評価（例えば、評価ボタンの選択数、電子商店街に対する送客数、紹介情報のＣＴＲ、ＣＶＲ等）である。また、「第２サービス評価」とは、対応する紹介情報に対する評価であって、電子商店街における評価（例えば、電子商店街における紹介情報のＣＴＲやＣＶＲ、対応する取引対象の販売数等といった各種の実績、店舗の実績等）を示す情報である。
【００９８】
なお、図５に示す例では、「質問情報＃１」、「紹介本文＃１」、「紹介バナー＃１」、「リンク先＃１−１」、「第１サービス評価＃１−１」および「第２サービス評価＃１−１」といった概念的な情報を記載したが、実際には、紹介情報データベース３３には、質問として登録されたタイトルや本文のテキスト、店舗が紹介情報として登録した文章のテキスト、紹介バナーのデータ、リンク先のＵＲＬ（Uniform  Resource  Locator）、各種評価を示す数値や文字列等が登録されることとなる。
【００９９】
図２に戻り、説明を続ける。制御部４０は、コントローラ（controller）であり、例えば、ＣＰＵ（Central  Processing  Unit）、ＭＰＵ（Micro  Processing  Unit）等のプロセッサによって、情報提供装置１０内部の記憶装置に記憶されている各種プログラムがＲＡＭ等を作業領域として実行されることにより実現される。また、制御部４０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【０１００】
図２に示すように、制御部４０は、出品受付部４１、取引処理部４２、取得部４３、クエリ受付部４４、検索部４５、選択部４６、および提供部４７を有する。
【０１０１】
出品受付部４１は、取引対象の出品を受付ける。例えば、出品受付部４１は、店舗端末３００から、取引対象のカテゴリ、価格、対象コンテンツまたは選択コンテンツとして表示される画像やテキストの登録を受付ける。このような場合、出品受付部４１は、受付けた各情報を店舗の店舗ＩＤ等と対応付けて取引対象データベース３１に登録する。
【０１０２】
取引処理部４２は、電子商店街における取引対象の販売に関する各種の処理を実行する、例えば、取引処理部４２は、電子商店街において取引対象の購入が行われた場合は、店舗に対する各種の通知や各種の決済処理を実行する。
【０１０３】
取得部４３は、電子商店街に出品されている取引対象を紹介する紹介情報であって、電子商店街において取引対象を販売するコンテンツへのリンクが設定された紹介情報を取得する。例えば、取得部４３は、紹介情報として、紹介情報と対応する取引対象を電子商店街で販売する販売者によって投稿された情報を取得する。より具体的な例を挙げると、取得部４３は、紹介情報として、電子商店街とは異なるサービスを介して提供される紹介情報を取得する。例えば、取得部４３は、利用者の質問と、質問に対する回答として質問に対応する取引対象を紹介する紹介情報とを提供するサービスに対して投稿された紹介情報を取得する。
【０１０４】
例えば、取得部４３は、紹介サービスサーバ１００にアクセスし、各質問と質問に対する紹介情報とを取得する。そして、取得部４３は、各質問と質問に対する紹介情報とを対応付けて、紹介情報データベース３３に登録する。
【０１０５】
クエリ受付部４４は、検索クエリを受付ける。例えば、クエリ受付部４４は、利用者端末２００から、検索クエリを受付ける。
【０１０６】
検索部４５は、検索クエリと対応する取引対象を検索する。例えば、検索部４５は、取引対象データベース３１を参照し、クエリ受付部４４から受付けた検索クエリと対応する取引対象を検索する。なお、検索部４５は、例えば、検索クエリを入力した利用者の属性や各種履歴に基づいて、検索結果となる取引対象を選択してもよい。そして、検索部４５は、検索した取引対象の対象コンテンツを読出し、読み出した対象コンテンツを並べた検索結果ＳＲを生成する。なお、検索部４５は、販促額や取引対象の価値等を考慮して、検索結果に含める対象コンテンツを選択してもよい。
【０１０７】
選択部４６は、提供対象となる紹介情報の選択を行う。すなわち、選択部４６は、紹介情報のリスティングを実現する。例えば、選択部４６は、検索クエリと対応する取引対象の販売コンテンツに対してリンクが設定された紹介情報を特定する。そして、選択部４６は、各種の情報に基づいて、紹介情報のリステングを行う。より具体的には、選択部４６は、利用者データベース３２や紹介情報データベース３３を参照し、各データベース３２、３３に登録された情報に基づいて、紹介情報を提供する優先度を示すスコアの算出を行う。
【０１０８】
例えば、選択部４６は、紹介情報のうち、利用者の属性と対応する取引対象に関する紹介情報を利用者に対して提供してもよい。例えば、選択部４６は、利用者の属性と対応する取引対象との関連度に応じたスコアを算出してもよい。また、選択部４６は、紹介情報のうち、利用者による取引対象の購買履歴と対応する取引対象に関する紹介情報を利用者に対して提供してもよい。例えば、選択部４６は、利用者が過去に購買した取引対象と、紹介情報と対応する取引対象との共通性に応じたスコアを算出してもよい。
【０１０９】
また、例えば、選択部４６は、紹介情報のうち、対応する取引対象の電子商店街における価値に応じて選択された紹介情報を提供してもよい。例えば、選択部４６は、紹介情報のうち、対応する取引対象の販売数、価格、若しくは送料の少なくともいずれか１つに基づく価値に応じてスコアを算出してもよい。また、選択部４６は、紹介情報のうち、対応する取引対象を販売する販売者の価値であって、電子商店街における価値に応じてスコアを算出してもよい。
【０１１０】
また、例えば、選択部４６は、電子商店街とは異なる所定のサービスにおける価値に応じてスコアを算出してもよい。例えば、選択部４６は、所定のサービスを介して利用者に提供された際に、利用者を電子商店街において対応する取引対象を販売するコンテンツへと誘導した回数に基づく価値に応じたスコアを算出してもよい。また、選択部４６は、所定のサービスを介して利用者に提供された際に、利用者が電子商店街において対応する取引対象を購入した回数に基づく価値に応じてスコアを算出してもよい。また、選択部４６は、所定のサービスにおける評価に基づく価値に応じてスコアを算出してもよい。
【０１１１】
また、例えば、選択部４６は、利用者の質問と、質問に対する回答として質問に対応する取引対象を紹介する紹介情報とを提供するサービスに対して投稿された紹介情報が取得された場合、紹介情報の提供先となる利用者に関する情報と、紹介情報と対応する質問との関連性に応じてスコアを算出してもよい。また、選択部４６は、利用者が入力した検索クエリと対応する取引対象、すなわち、検索結果となる取引対象との共通性に応じてスコアの算出を行ってもよい。例えば、選択部４６は、対応する取引対象に対して設定された送料が、検索結果における取引対象に対して設定された送料と所定の共通性を有する場合は、より高い値のスコアを算出してもよい。
【０１１２】
なお、選択部４６は、統合的なスコアを算出する際に、重要視する情報に対してはより大きな重みづけを設定してもよい。また、選択部４６は、スコアを算出するのではなく、第１の情報に応じて選択した紹介情報を、第２の情報に応じた優先度で選択してもよい。
【０１１３】
提供部４７は、電子商店街のコンテンツを介して、紹介情報を利用者に提供する。例えば、提供部４７は、それぞれ異なる取引対象に関する複数の紹介情報を利用者に提供する。また、提供部４７は、紹介情報のうち、利用者が入力した検索クエリと対応する取引対象に関する紹介情報を利用者に対して提供する。また、提供部４７は、利用者が入力した検索クエリと対応する取引対象の検索結果とともに、検索クエリと対応する取引対象に関する紹介情報を提供する。例えば、提供部４７は、電子商店街に関するコンテンツであって、取引対象の購入を受付けるコンテンツ以外のコンテンツと共に、紹介情報を提供する。
【０１１４】
例えば、提供部４７は、検索部４５から検索結果を取得するとともに、選択部４６が選択した紹介情報を取得する。そして、提供部４７は、検索結果と、紹介情報をスコア順に並べたコンテンツとを含む検索結果コンテンツを生成し、生成した検索結果コンテンツを利用者端末２００へと送信する。
【０１１５】
〔３．処理の流れの一例〕
続いて、図６を用いて、情報提供装置１０が実行する提供処理の流れの一例を説明する。図６は、実施形態に係る情報提供装置が実行する提供処理の流れの一例を示すフローチャートである。例えば、情報提供装置１０は、電子商店街とは異なるサービスを介して
提供される情報であって、電子商店街における取引対象を紹介する紹介情報を取得する（ステップＳ１０１）。続いて、情報提供装置１０は、検索クエリを受付けると（ステップＳ１０２）、検索クエリと対応する取引対象を検索する（ステップＳ１０３）。また、情報提供装置１０は、検索クエリや検索結果に含まれる取引対象との関連性に基づいて、
提供対象とする紹介情報を選択する（ステップＳ１０４）。そして、情報提供装置１０は、検索結果と共に、選択した紹介情報を提供し（ステップＳ１０５）、処理を終了する。
【０１１６】
〔４．変形例〕
上記では、情報提供装置１０による提供処理の一例について説明した。しかしながら、実施形態は、これに限定されるものではない。以下、提供処理のバリエーションについて説明する。
【０１１７】
〔４−１．紹介情報の内容について〕
上述した例では、情報提供装置１０は、各店舗が、自身が電子商店街で販売する取引対象を紹介する紹介情報を取得し、取得した紹介情報を利用者に提供した。しかしながら、実施形態は、これに限定されるものではない。
【０１１８】
例えば、情報提供装置１０は、ブログ等に各店舗が提供した紹介情報を取得してもよい。また、情報提供装置１０は、例えば、電子商店街で取引対象を販売していない利用者が登録した情報であって、電子商店街に出品された取引対象を紹介する情報を紹介情報としてもよい。例えば、情報提供装置１０は、取引対象に関する各種のレビューであって、対応する取引対象へのリンクが設定された情報を紹介情報として取得してもよい。また、情報提供装置１０は、ニュース記事やレビュー記事等を紹介情報として取得してもよい。すなわち、情報提供装置１０は、取引対象を何らかの形で紹介する情報を紹介情報とするのであれば、任意の態様で任意のサービスを介して提供される情報を紹介情報として取得し、利用者に対して提供して良い。
【０１１９】
〔４−２．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２０】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２１】
また、上記してきた各実施形態は、処理内容を矛盾させない範囲で適宜組み合わせることが可能である。
【０１２２】
〔４−３．プログラム〕
また、上述した実施形態に係る情報提供装置１０および利用者端末２００は、例えば図７に示すような構成のコンピュータ１０００によって実現される。図７は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１２３】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ（Read  Only  Memory）、ＨＤＤ（Hard  Disk  Drive）、フラッシュメモリ等により実現される。
【０１２４】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１２５】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１２６】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１２７】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１２８】
例えば、コンピュータ１０００が情報提供装置１０として機能する場合、コンピュータ１０００の演算装置１０３０は、一次記憶装置１０４０上にロードされたプログラムを実行することにより、制御部４０の機能を実現する。また、例えば、コンピュータ１０００が利用者端末２００として機能する場合、コンピュータ１０００の演算装置１０３０は、一次記憶装置１０４０上にロードされたプログラムを実行することにより、制御部４０の機能を実現する。
【０１２９】
〔５．効果〕
上述したように、情報提供装置１０は、電子商店街に出品されている取引対象を紹介する紹介情報であって、電子商店街において取引対象を販売するコンテンツへのリンクが設定された紹介情報を取得する。そして、情報提供装置１０は、電子商店街のコンテンツを介して、紹介情報を利用者に提供する。このような処理の結果、情報提供装置１０は、電子商店街を閲覧する利用者に取引対象を紹介する情報を提供するので、効果的な情報を提供することができる。
【０１３０】
また、情報提供装置１０は、それぞれ異なる取引対象に関する複数の紹介情報を利用者に提供する。また、情報提供装置１０は、紹介情報として、紹介情報と対応する取引対象を電子商店街で販売する販売者によって投稿された情報を取得する。
【０１３１】
また、情報提供装置１０は、紹介情報として、電子商店街とは異なるサービスを介して提供される紹介情報を取得する。例えば、情報提供装置１０は、利用者の質問と、質問に対する回答として質問に対応する取引対象を紹介する紹介情報とを提供するサービスに対して投稿された紹介情報を取得する。
【０１３２】
また、情報提供装置１０は、取得された紹介情報のうち、利用者が入力した検索クエリと対応する取引対象に関する紹介情報を利用者に対して提供する。また、情報提供装置１０は、利用者が入力した検索クエリと対応する取引対象の検索結果とともに、検索クエリと対応する取引対象に関する紹介情報を提供する。また、情報提供装置１０は、紹介情報のうち、利用者の属性と対応する取引対象に関する紹介情報を利用者に対して提供する。また、情報提供装置１０は、利用者による取引対象の購買履歴と対応する取引対象に関する紹介情報を利用者に対して提供する。
【０１３３】
上述した各処理の結果、情報提供装置１０は、取引対象を効果的に紹介する情報を利用者に提供することができるので、店舗が利用者に推奨したい取引対象の情報を効果的に提供することができる。
【０１３４】
また、情報提供装置１０は、電子商店街に関するコンテンツであって、取引対象の購入を受付けるコンテンツ以外のコンテンツと共に、紹介情報を提供する。また、情報提供装置１０は、紹介情報のうち、対応する取引対象の電子商店街における価値に応じて選択された紹介情報を提供する。例えば、情報提供装置１０は、紹介情報のうち、対応する取引対象の販売数、価格、若しくは送料の少なくともいずれか１つに基づく価値に応じて選択された紹介情報を提供する。また、例えば、情報提供装置１０は、紹介情報のうち、対応する取引対象を販売する販売者の価値であって、電子商店街における価値に応じて選択された紹介情報を提供する。このため、情報提供装置１０は、電子商店街における人気がある取引対象の紹介情報を提供することができるため、利用者に対して効果的に情報を提供することができる。
【０１３５】
また、情報提供装置１０は、紹介情報として、電子商店街とは異なる所定のサービスを介して提供される紹介情報を取得し、紹介情報のうち、所定のサービスにおける価値に応じて選択された紹介情報を提供する。例えば、情報提供装置１０は、紹介情報のうち、所定のサービスを介して利用者に提供された際に、利用者を電子商店街において対応する取引対象を販売するコンテンツへと誘導した回数に基づく価値に応じて選択された紹介情報を提供する。また、例えば、情報提供装置１０は、紹介情報のうち、所定のサービスを介して利用者に提供された際に、利用者が電子商店街において対応する取引対象を購入した回数に基づく価値に応じて選択された紹介情報を提供する。また、例えば、情報提供装置１０は、紹介情報のうち、所定のサービスにおける評価に基づく価値に応じて選択された紹介情報を提供する。例えば、情報提供装置１０は、利用者の質問と、質問に対する回答として質問に対応する取引対象を紹介する紹介情報とを提供するサービスに対して投稿された紹介情報を取得し、紹介情報のうち、紹介情報の提供先となる利用者に関する情報と、紹介情報と対応する質問との関連性に応じて選択された紹介情報を提供する。このため、情報提供装置１０は、電子商店街とは異なるサービスにおいて評価が高い紹介情報を提供するので、利用者に対して効果的に情報を提供することができる。
【０１３６】
また、情報提供装置１０は、紹介情報のうち、利用者が入力した検索クエリと対応する取引対象との共通性に応じて選択された紹介情報を、検索クエリと対応する取引対象の検索結果とともに提供する。例えば、情報提供装置１０は、紹介情報のうち、対応する取引対象に対して設定された送料が、検索クエリと対応する取引対象に対して設定された送料と所定の共通性を有する紹介情報を提供する。このため、情報提供装置１０は、効果的な態様で、紹介情報を利用者に対して提供することができる。
【０１３７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３８】
また、上記してきた「部（section、module、unit）」は、「手段」や「回路」などに読み替えることができる。例えば、抽出部は、抽出手段や抽出回路に読み替えることができる。
【符号の説明】
【０１３９】
１０  情報提供装置
２０  通信部
３０  記憶部
３１  取引対象データベース
３２  利用者データベース
３３  紹介情報データベース
４０  制御部
４１  出品受付部
４２  取引処理部
４３  取得部
４４  クエリ受付部
４５  検索部
４６  選択部
４７  提供部
１００  紹介サービスサーバ
２００  利用者端末
３００  店舗端末
【図１】
2020017280.tif 000003
【図２】
2020017280.tif 000004
【図３】
2020017280.tif 000005
【図４】
2020017280.tif 000006
【図５】
2020017280.tif 000007
【図６】
2020017280.tif 000008
【図７】
2020017280.tif 000009